(57)【要約】      （修正有）【課題】釣りの最中に、釣った魚を釣り糸から外してタモや籠に収納したり、ルアーまたは餌を交換する際、長尺な釣竿を保持した状態のまま無理な姿勢を強いられることなく、円滑に作業を行うことが可能な釣竿保持具を提供する。【解決手段】釣竿保持具１０は、腰に宛がう腰当て面を有する腰当て１２と、腰当て面の反対側の面２６において、下端部が、略鉛直姿勢と、斜め姿勢との間で揺動可能に支持された、釣竿の下端部を収納するための鞘１４と、鞘１４を略鉛直姿勢にワンタッチで保持するための鞘保持具１６とを有し、鞘１４は、斜め姿勢において、上部開口２４が釣師の前側に位置するようにした状態で、下端部を収納した釣竿を保持可能な所定長さを有する、ことを特徴とする。【選択図】図１
0003209454.tif 000002
【実用新案登録請求の範囲】
【請求項１】
腰に宛がう腰当て面を有する腰当てと、
腰当て面の反対側の面において、下端部が、略鉛直姿勢と、斜め姿勢との間で揺動可能に支持された、釣竿の下端部を収納するための鞘と、
前記鞘を略鉛直姿勢に保持するための第１鞘保持具と、
前記鞘を斜め姿勢に保持するための第２鞘保持具とを有し、
前記鞘は、斜め姿勢において、上部開口が釣師の前側に位置するようにした状態で、下端部を収納した釣竿を保持可能な所定長さを有する、
ことを特徴とする釣竿保持具。
【請求項２】
前記腰当ては、略三角形状であり、その下端頂点部近傍に、前記釣竿保持具を太腿に巻き付け固定するためのバンドが設けられている、請求項１に記載の釣竿保持具。
【請求項３】
前記第２鞘保持具は、前記反対側の面に対して両端が横向きに固定された紐であり、前記反対側の面と該紐とにより構成される横向き開口内に、前記鞘の上端部を入れて、斜め姿勢の前記鞘を前記紐により保持する、請求項１に記載の釣竿保持具。
【請求項４】
前記鞘は、底付円筒であり、前記反対側の面に脱着可能に取り付けられ、釣竿のサイズに応じて、種々の所定長さを有する複数の鞘が設けられる、請求項１に記載の釣竿保持具。
【請求項５】
前記鞘の前記斜め姿勢は、下端部が前記鞘に収納された釣竿の途中を肘で背面側に押しやって略鉛直姿勢にすることが可能な角度である、請求項１に記載の釣竿保持具。
【請求項６】
前記鞘の下端部は、前記略鉛直姿勢と、前記斜め姿勢との間で揺動可能なように、前記腰当て面に対して脱着可能にねじ留めされ、ねじは、底付円筒の底部に設けられ、釣竿の下端部を受ける受け棒を兼用している、請求項４に記載の釣竿保持具。
【考案の詳細な説明】
【技術分野】
【０００１】
本考案は、釣竿保持具に関し、より詳細には、釣りの最中に、釣った魚を釣り糸から外して籠に収納したり、ルアーまたは餌を交換する際、長尺な釣竿を保持した状態のまま無理な姿勢を強いられることなく、円滑に作業を行うことが可能な釣竿保持具に関する。
【背景技術】
【０００２】
長尺な釣竿を用いての魚釣りが、川、湖、海において盛んに行われているが、たとえば、鮎釣りのような渓流における川釣りにおいては、以下のような点で、円滑な釣りに支障をきたしていた。
具体的には、魚を釣った際、釣った魚を釣り糸の先端に取り付けた釣り針から取り外して、タモや籠に収納し、新たな餌を釣り針に取り付ける必要があり、これらの作業は、両手で行う必要があるところ、釣竿を手で保持した状態でこれらの作業を行うのは困難である。特に、たとえば、鮎釣りのような渓流における川釣りにおいては、岸で魚を釣るのでなく、川の浅瀬にいながらこれらの作業を行う必要があり、釣り糸をからまめさせることなく釣竿を自分の近くに配置することもままならない。
このような場合、釣り人は、腰を屈めた状態で、釣竿の一端を一方の膝で受けながら、釣竿を脇に挟み込むことにより、両手をフリーにして、上述のような作業を行っている。
これは、釣りの最中に、釣った魚を釣り糸から外して籠に収納したり、ルアーまたは餌を交換する際、長尺な釣竿を保持した状態のまま無理な姿勢を強いられることになり、円滑に作業を行うことが困難である。特に、高齢や、腰痛持ちの釣師にとっては、辛い作業となる。
【０００３】
この点、特許文献１には、釣り竿を収納する道具が開示されている。
より詳細には、釣具店において釣竿を購入する際に、釣竿収納容器に収納された釣竿が、どのような魚種を対象としているかを瞬時に判別できる釣竿展示用収納容器として、透明性を有する素材からなる外箱体に台紙を挿入してなる釣竿展示用収納容器において、外箱体又は台紙のいずれか一方に釣竿の対象魚の特色を表す観念模様を付与している。
【０００４】
また、特許文献２には、釣竿を支持する道具が開示されている。
より詳細には、支持台に揺動部材を設け、釣竿に係止軸を固定し、揺動部材に、係止軸が上部から抜き差し自在に嵌る大きさの遊嵌孔と、この遊嵌孔の前縁に、係止軸の小径軸が納まるよう連成した係止凹部を設けたので、釣竿に固定した係止軸を遊嵌孔に挿入して釣竿を前方に移動させるだけで小径軸が係止凹部に嵌まり込み、揺動部材に対して釣竿は上下方向及び前方へ移動できないように結合され、釣竿の固定配置状態が得られると共に、釣竿を取外す場合は、釣竿を後方に引いて係止軸を係止凹部内に位置させた状態で持ち上げるようにすればよく、特に、釣竿の取外しが握った釣竿を後方に引いて持ち上げる動作だけでよく、釣竿の取外しに他の部材を操作するような余分な手数と時間をかけることなく速やかに行え、食い付いた魚の釣り上げ時に気が焦ってタイミングを逸するような事態の発生をなくすことができる。
【０００５】
いずれの特許文献も、釣竿を収納あるいは支持する点で共通であるが、特許文献１は、釣りの最中でなく、釣竿を購入する際に、釣竿を収納する収納具を開示するに過ぎず、特許文献２は、特許文献１と異なり、釣りの最中に釣竿を支持する装置を開示するが、釣り人が釣竿を背負うのでなく、舟釣りのような場合に、舟べり等に対して釣竿を着脱自在に固定する装置を開示するに過ぎない。
以上のように、釣りの最中に、釣り人が釣った魚を釣り糸から外して籠やタモに収納したり、ルアーまたは餌を交換する際、長尺な釣竿を保持した状態のまま無理な姿勢を強いられることなく、円滑に作業を行うことが可能な釣竿保持具が要望されていたにも係わらず、このような釣竿保持具は、実現されていない。
【特許文献１】特開2000-281074
【特許文献２】特許第５５３４５７７号
【考案の開示】
【考案が解決しようとする課題】
【０００６】
以上の技術的問題点に鑑み、本考案の目的は、釣りの最中に、釣った魚を釣り糸から外して籠やタモに収納したり、ルアーまたは餌を交換する際、長尺な釣竿を保持した状態のまま無理な姿勢を強いられることなく、円滑に作業を行うことが可能な釣竿保持具を提供することにある。
【課題を解決するための手段】
【０００７】
上記課題を達成するために、本考案の釣竿保持具は、
腰に宛がう腰当て面を有する腰当てと、
腰当て面の反対側の面において、下端部が、略鉛直姿勢と、斜め姿勢との間で揺動可能に支持された、釣竿の下端部を収納するための鞘と、
前記鞘を略鉛直姿勢に保持するための第１鞘保持具と、
前記鞘を斜め姿勢に保持するための第２鞘保持具と、を有し、
前記鞘は、斜め姿勢において、上部開口が釣師の前側に位置するようにした状態で、下端部を収納した釣竿を保持可能な所定長さを有する、構成としている。
【０００８】
以上の構成を有する釣竿保持具によれば、釣師の腰に腰当の腰当て面を宛がい、釣竿の下端部を収納した鞘をその上部開口が釣師の前側に位置するようにした状態で、第２鞘保持具により斜め姿勢に保持して釣りを行い、釣った魚を釣り糸から外して籠に収納したり、ルアーまたは餌を交換する際、たとえば、釣師の肘で釣り竿の途中を背面側に押しやって、斜め姿勢から略鉛直姿勢に揺動させて、第１鞘保持具により鞘を略鉛直姿勢に保持することで、１０メートル以上の長尺な釣竿を、両手がフリーな状態で、背面に保持した状態で、釣りの最中に、釣った魚を釣り糸から外して籠に収納したり、ルアーまたは餌を交換する際、長尺な釣竿を保持した状態のまま無理な姿勢を強いられることなく、特に、高齢や、腰痛持ちの釣師にとっても、円滑に作業を行うことが可能である。
【０００９】
また、前記腰当ては、略三角形状であり、その下端頂点部近傍に、前記釣竿保持具を太腿に巻き付け固定するためのバンドが設けられているのがよい。
さらに、前記第２鞘保持具は、前記反対側の面に両端が横向きに固定された紐であり、前記反対側の面と該紐とにより構成される横向き開口に、前記鞘の上端部を入れて、斜め姿勢の前記鞘を前記紐により保持するのがよい。
【００１０】
さらにまた、前記鞘は、底付円筒であり、前記反対側の面に対して脱着可能に取り付けられ、釣竿のサイズに応じて、種々の所定長さを有する複数の鞘が設けられるのがよい。
加えて、前記鞘の前記斜め姿勢は、下端部が前記鞘に収納された釣竿の途中を肘で背面側に押しやり略鉛直姿勢にすることが可能な角度であるのがよい。
さらに、前記鞘の下端部は、前記略鉛直姿勢と、前記斜め姿勢との間で揺動可能なように、前記腰当て面に対して脱着可能にねじ留めされ、ねじは、底付円筒の底部に設けられ、釣竿の下端部を受ける受け棒を兼用しているのがよい。
【考案を実施するための最良の形態】
【００１１】
本考案に係る釣竿保持具の実施形態を図面を参照しながら、以下に詳細に説明する。
図１ないし図３に示すように、釣竿保持具１０は、腰当て１２と、釣竿Ｒの下端部ＬＥを収納するための鞘１４と、第１鞘保持具１６と、第２鞘保持具３１と、釣竿保持具１０を太腿に巻き付け固定するためのバンド１８とから概略構成される。
【００１２】
腰当て１２は、腰に宛がう腰当て面２０を有し、略三角形状であり、その下端頂点部２２近傍に、釣竿保持具１０を太腿に巻き付け固定するためのバンド１８が設けられる一方、その上縁近傍には、ズボンバンド２１を通す複数の切り込み２９が設けられ、ズボンバンド２１を介して釣竿保持具１０を腰に固定するようにしている。
腰当て１２は、たとえば、軽量かつ高剛性の観点から樹脂製がよく、腰当て面２０は、釣師Ｍの腰に密着するように湾曲面を構成するのがよい。
釣竿保持具１０を巻き付け固定する太腿は、釣竿保持具１０の腰当て面２０を宛がうのが右腰か左腰かにより、右腰なら右太腿、左腰なら左太腿であるのがよい（図４ないし図６参照）。
ズボンバンド２１の長さ調整部を有するバックル部２３を介して、釣竿保持具１０の上端部を腰にしっかり固定するとともに、バンド１８を介して釣竿保持具１０の下端部を太腿にしっかり固定することにより、後に説明するように、釣竿保持具１０により１０メートルに及ぶ釣竿Ｒを保持する際、釣竿Ｒを確実に保持することが可能である。
【００１３】
鞘１４は、底付円筒であり、底付円筒の底には、釣竿Ｒの下端部ＬＥを受ける受け棒１５が設けられている。底付円筒の材質は、金属製あるいは樹脂製が好ましく、軽量化、耐久性および防錆性の観点から、特にアルミニウム製が好ましい。
鞘１４は、内径は、釣竿Ｒの下端部ＬＥを収納可能な大きさであり、斜め姿勢において、上部開口２４が釣師Ｍの前面Ｆ側に位置するようにした状態で、下端部を収納した釣竿Ｒを保持可能な所定長さＬを有し、釣竿Ｒのサイズに応じて、種々の所定長さを有する複数の鞘１４が設けられ、各々において、腰当て面２０の反対側の面２６において、下端部が、略鉛直姿勢Ｖと、斜め姿勢Ｄとの間で揺動可能に支持されている。より詳細には、鞘１４の下端部は、腰当て面２０に対して揺動可能かつ脱着可能にねじ１５留めされている。なお、ねじ１５は、釣竿Ｒの下端部ＬＥを受ける受け棒１５を兼用している。
鞘１４の斜め姿勢Ｄは、鞘１４の下端部ＬＥが収納された釣竿Ｒの途中を肘で略鉛直姿勢Ｖに背面側Ｂに押しやることが可能な角度αであるのがよい。角度αは、釣竿Ｒの長さに依存するが、たとえば、５度ないし１０度である。
【００１４】
第１鞘保持具１６は、鞘１４を略鉛直姿勢Ｖにワンタッチで保持するようにしている。
より具体的には、Ｕ字状保持具４０と、Ｕ字状保持具４０の一端４１にフック可能であり、Ｕ字状保持具４０の両端により形成される開口部４３を閉鎖可能なくの字状金具４１と、くの字状金具４１を開口部４３を閉鎖した状態に固定する金具固定具４４とが、腰当て１２の上部に設けられ、鞘１４を開口部４３に押し込んだ状態で、くの字状金具４１によりフックして開口部４３を閉鎖し、金具固定具４４により、緩み位置（図３）と、締め付け位置（図２）との間で揺動可能としてある。
【００１５】
第２鞘保持具は、反対側の面２６に対して両端２８が横向きに固定された紐３０であり、反対側の面２６と該紐３０とにより構成される横向き開口３２に、鞘１４の上端部を入れて、斜め姿勢Ｄの鞘１４が、紐３０により保持されるようにしている。これにより、鞘１４は、鞘１４に収納され、斜め前方に延びる釣竿Ｒの自重により、斜め姿勢Ｄに保持されるようにしている。
【００１６】
以上の構成を有する釣竿保持具１０の作用を、釣竿Ｒを用いて魚を釣る場合の利用の仕方を含め、以下に詳細に説明する。
図４に示すように、釣竿Ｒの下端部を斜め姿勢Ｄの鞘１４に収納することにより、釣竿Ｒは、第２鞘保持具３１により鞘１４によって釣師の斜め前方に延びた状態に保持可能であり、それにより、釣師は両手フリーの状態となる。
【００１７】
次いで、図５に示すように、釣りの最中に、釣った魚を釣り糸から外して籠やタモに収納したり、ルアーまたは餌を交換する際、釣竿保持具１０の位置する右手の肘により、釣竿Ｒの途中部を背面側Ｂに押しやり、鞘１４を斜め姿勢Ｄから略鉛直姿勢Ｖにする。
次いで、右手で第１鞘保持具１６を操作して鞘１４を略鉛直姿勢Ｖに保持する。これにより、釣師の前面側Ｆにはフリーなスペースが形成される。
次いで、図６に示すように、数メートル以上の長尺な釣竿Ｒを、両手がフリーな状態で、釣りの最中に、釣った魚を釣り糸から外して籠やタモに収納したり、ルアーまたは餌を交換する際、長尺な釣竿Ｒを保持した状態のまま、無理な姿勢を強いられることなく、特に、高齢や、腰痛持ちの釣師にとっても、円滑に作業を行うことが可能である。
特に、第１鞘保持具１６および第２鞘保持具３１により、鞘１４を略鉛直姿勢Ｖおよび斜め姿勢Ｄそれぞれに保持するのに、腰当１２のある側の片手（図４ないし図６では右手）で行うことが可能である。
【００１８】
以上のように、釣師Ｍは、タモを前面Ｆ側で腰レベルに装着することが多いことから、本釣竿保持具１０により、釣竿Ｒを体の背面Ｂ側の略鉛直姿勢に保持することにより、体の前面Ｆ側スペースを有効に活用することが可能であり、両手で魚をタモに収納したり、新しい餌を取り付けたりの作業を円滑に行うことが可能である。
なお、釣り場に移動するまで、釣竿保持具１０を背面Ｂ側で略鉛直姿勢に保持することにより、荷物としてかさばることなく、移動可能であり、釣った後、別の釣り場に移動する場合も同様である。
【００１９】
以上、本考案の実施形態を詳細に説明したが、本考案の範囲から逸脱しない範囲内において、当業者であれば、種々の修正あるいは変更が可能である。
たとえば、釣竿保持具１０は、釣竿Ｒを保持した状態で両手をフリーにする必要性がある限り、川釣りに限定されることなく、湖や海での釣り、あるいは岸での作業、次の釣り場に移動する際にも利用可能である。
【００２０】
たとえば、本実施形態において、釣竿保持具１０を釣りの最中に利用するものとして説明したが、それに限定されることなく、釣竿Ｒを収納した鞘１４を略鉛直姿勢にて背面側に保持した状態で運搬すれば、かさばることなく便利である。
たとえば、本実施形態において、釣竿Ｒを背面側の略鉛直姿勢の鞘１４に収納して両手で魚をタモに収納したり、新しい餌を取り付けたりの作業をするものとして説明したが、それに限定されることなく、釣竿Ｒを前面側の斜め姿勢の鞘１４に収納した状態で、作業をしてもよい。
【図面の簡単な説明】
【００２１】
【図１】本考案の実施形態に係る釣竿保持具１０の斜視図である。
【図２】本考案の実施形態に係る釣竿保持具１０において、鞘１４が略鉛直姿勢Ｖにある図である。
【図３】本考案の実施形態に係る釣竿保持具１０において、鞘１４が斜め姿勢Ｄにある図である。
【図４】本考案の実施形態に係る釣竿保持具１０において、釣師Ｍが釣竿Ｒを斜め姿勢Ｄの鞘１４に収納している状態を示す図である。
【図５】本考案の実施形態に係る釣竿保持具１０において、釣師Ｍが釣竿Ｒを鞘１４を斜め姿勢Ｄから略鉛直姿勢Ｖに背面側に押しやっている状態を示す図である。
【図６】本考案の実施形態に係る釣竿保持具１０により、釣師Ｍが釣竿Ｒを保持して、両手がフリーである状態を示す図である。
【符号の説明】
【００２２】
ＬＥ  下端部
Ｖ  略鉛直姿勢
Ｄ  斜め姿勢
Ｌ  所定長さ
Ｍ  釣師
Ｂ  背面
Ｆ  前面
Ｒ  釣竿
α  角度
１０  釣竿保持具
１２  腰当て
１４  鞘
１６  第１鞘保持具
１８  バンド
２０  腰当て面
２１  ズボンバンド
２２  下端頂点部
２３  バックル部
２４  上部開口
２６  反対側の面
２９  切り込み
３０  紐
３１  第２鞘保持具
３２  横向き開口
４０  Ｕ字状保持具
４１  一端
４２  くの字状金具
４３  開口部
４４  金具固定具
【図１】
0003209454.tif 000003
【図２】
0003209454.tif 000004
【図３】
0003209454.tif 000005
【図４】
0003209454.tif 000006
【図５】
0003209454.tif 000007
【図６】
0003209454.tif 000008